(57)【要約】【課題】複数の建築板を施工するにあたって、隣接する建築板の位置関係が決めやすい建築板の施工構造を提供する。【解決手段】構造物下地の表側に配置されるシート部材と、シート部材の表側に、左右方向に互いに突付けて配置されると共に、上下方向で端部同士が重なり合って階段状に配置される複数の建築板１と、複数の建築板１の突付け箇所６の裏側に配置される防水部材５と、を備える。防水部材５は、突付け箇所６においてシート部材と建築板１１，１２との間に配置された板状部５１と、板状部５１に設けられて下側の建築板１３の上端１３１の位置を示すマーク部５２と、板状部５１の表側に位置する建築板１１，１２の下端１１１、１２１を位置決めする位置決め部５３と、を有する。【選択図】図１
2020084420.tif 000002
【特許請求の範囲】
【請求項１】
構造物下地の表側に配置されるシート部材と、前記シート部材の表側に、左右方向に互いに突付けて配置されると共に、上下方向で端部同士が重なり合って階段状に配置される複数の建築板と、前記複数の建築板の突付け箇所の裏側に配置される防水部材と、を備える建築板の施工構造であって、
前記防水部材は、
前記突付け箇所において前記シート部材と前記建築板との間に配置された板状部と、
前記板状部に設けられて下側の前記建築板の上端の位置を示すマーク部と、
前記板状部の表側に位置する前記建築板の下端を位置決めする位置決め部と、を有する
建築板の施工構造。
【請求項２】
請求項１において、
前記防水部材は、前記構造物下地に固定される固定部をさらに有し、
前記マーク部は、前記固定部に設けられている、
建築板の施工構造。
【請求項３】
請求項１又は２において、
前記マーク部は前記板状部の前記左右方向における両側に設けられている、
建築板の施工構造。
【請求項４】
請求項１ないし３のいずれか一項において、
前記板状部の表面の少なくとも左右方向両端部に堰部が設けられ、
前記マーク部は前記堰部よりも前記左右方向における外側に設けられている、
建築板の施工構造。
【請求項５】
請求項１ないし４のいずれか一項において、
前記構造物下地が既設屋根であり、
前記建築板が新設屋根材である、
屋根の改修構造。
【請求項６】
構造物下地の表側に配置されるシート部材の表側に、左右方向に互いに突付けて配置されると共に、上下方向で端部同士が重なり合って階段状に配置される複数の建築板の突付け箇所の裏側に配置される防水部材であって、
前記突付け箇所において前記シート部材と前記建築板との間に配置される板状部と、
前記板状部に設けられて下側の前記建築板の上端の位置を示すマーク部と、
前記板状部の表側に位置する前記建築板の下端を位置決めする位置決め部と、を有する
防水部材。
【発明の詳細な説明】
【技術分野】
【０００１】
本発明は、建築板の施工構造、屋根の改修構造及び防水部材に関する。詳しくは、防水シート等のシート部材上に施工された建築板を備えた施工構造、屋根の改修構造及びこれらに使用される防水部材に関する。
【背景技術】
【０００２】
特許文献１には、防水兼雪止具を備えた外装材の取付構造が記載されている。この防水兼雪止具は、左右に互いに突付けて配置されると共に、上下に端部同士が重なり合って階段状に配置された複数枚の建築板が施工された構造に用いられるものであって、建築板の左右突付け箇所裏側に配置される水平面状の敷目部と、該敷目部の下端縁を上方に突出した雪止片とを備えている。
【先行技術文献】
【特許文献】
【０００３】
【特許文献１】特開２００２−２１２５８号公報
【発明の概要】
【発明が解決しようとする課題】
【０００４】
しかし、上記外装材の取付構造では、建築板を左右方向のいずれかから順次施工することによって防水兼雪止具の左右位置がおおよそ定まるのに対し、上下位置は定まりにくく、建築板を精度良く施工しにくいという問題があった。
【０００５】
本発明は上記の点に鑑みてなされたものであり、複数の建築板を施工するにあたって、隣接する建築板の位置関係が決めやすい建築板の施工構造、屋根の改修構造及び防水部材を提供することを目的とする。
【課題を解決するための手段】
【０００６】
本発明に係る一態様の建築板の施工構造は、構造物下地の表側に配置されるシート部材と、前記シート部材の表側に、左右方向に互いに突付けて配置されると共に、上下方向で端部同士が重なり合って階段状に配置される複数の建築板と、前記複数の建築板の突付け箇所の裏側に配置される防水部材と、を備える建築板の施工構造である。前記防水部材は、前記突付け箇所において前記シート部材と前記建築板との間に配置された板状部と、前記板状部に設けられて下側の前記建築板の上端の位置を示すマーク部と、前記板状部の表側に位置する前記建築板の下端を位置決めする位置決め部と、を有する。
【０００７】
本発明に係る一態様の屋根の改修構造は、前記建築板の施工構造において、前記構造物下地が既設屋根であり、前記建築板が新設屋根材である。
【０００８】
本発明に係る一態様の防水部材は、構造物下地の表側に配置されるシート部材の表側に、左右方向に互いに突付けて配置されると共に、上下方向で端部同士が重なり合って階段状に配置される複数の建築板の突付け箇所の裏側に配置される防水部材である。前記突付け箇所において前記シート部材と前記建築板との間に配置される板状部と、前記板状部に設けられて下側の前記建築板の上端の位置を示すマーク部と、前記板状部の表側に位置する前記建築板の下端を位置決めする位置決め部と、を有する。
【発明の効果】
【０００９】
本発明に係る一態様の建築板の施工構造、屋根の改修構造及び防水部材では、複数の建築板を施工するにあたって、隣接する建築板の位置関係が決めやすい、という利点がある。
【図面の簡単な説明】
【００１０】
【図１】図１は、本発明に係る建築板の施工構造の一実施形態を示す斜視図である。
【図２】図２は、同上の軒方向から見た断面図である。
【図３】図３Ａは、同上の防水部材を示す斜視図である。図３Ｂは、同上の防水部材を示すＹ−Ｙ断面図である。図３Ｃは、同上の防水部材を示すＸ−Ｘ断面図である。
【図４】図４は、同上の施工方法を示す斜視図である。
【図５】図５Ａ〜Ｃは、同上の施工方法を示す一部の斜視図である。
【図６】図６Ａ及び図６Ｂは、同上の施工方法を示す一部の斜視図である。
【発明を実施するための形態】
【００１１】
以下、本発明を実施するための形態を説明する。
【００１２】
図１は、本実施形態の建築板の施工構造としては、既設屋根の改修構造を示している。この場合、構造物下地２は、改修される既設屋根であり、その表面側に新規なシート部材３と、新設屋根材である建築板１と、防水部材５とが配置され、新設屋根が形成される。
【００１３】
（構造物下地２）
図２に示すように、構造物下地２は、野地２１と、野地２１の上に敷かれた下葺材２５と、野地２１の上に下葺材２５を介して葺かれた複数の既設屋根板２０とを備えている。
【００１４】
下葺材２５は、例えば、アスファルトルーフィングであって、シート状に形成されている。既設屋根板２０は、平面視略矩形板状のスレート瓦であって、セメント系成形材料を成形し、養生硬化することで製造される。
【００１５】
複数の既設屋根板２０は、野地２１上に、軒棟方向と軒方向との両方向に並べて設置されている。ここで、軒棟方向とは屋根の勾配方向であり、軒から棟に向かう方向及び棟から軒に向かう方向を意味する。軒方向とは屋根の一つの傾斜面における軒に沿った方向であって、軒棟方向と直交する左右方向である。すなわち、軒棟方向は、既設屋根板２０が階段状に並ぶ方向であり、軒方向は、既設屋根板２０が階段状に並ぶ方向と直交する方向である。
【００１６】
複数の既設屋根板２０は、軒棟方向に隣接する既設屋根板２０のうち、軒側の既設屋根板２０に棟側の既設屋根板２０が表側から重ね合わされている。すなわち、複数の既設屋根板２０は、軒棟方向に隣接する既設屋根板２０の軒棟方向端部（幅方向端部）が階段状に重ねられて野地２１に施工されている。更に言い換えれば、軒棟方向に隣接する既設屋根板２０にあっては、一方の既設屋根板２０（軒側の既設屋根板２０）の隣接方向他方側（棟側）の部分に、他方の既設屋根板２０（棟側の既設屋根板２０）の隣接方向一方側の部分が表側から重なり合っている。
【００１７】
複数の既設屋根板２０は、軒方向に隣接する既設屋根板２０同士を突付けた状態で、野地２１上に設置されている。ここで、「突付け」とは、軒方向に隣接する既設屋根板２０のうちの一方の端面と、他方の端面とを突き合せることを意味する。既設屋根板２０の上面は、棟側に隣接した既設屋根板２０によって覆われる被覆部２８と、棟側に隣接した既設屋根板２０によって覆われずに露出した曝露部（露出部）２９とを備えている。
【００１８】
既設屋根板２０の被覆部２８には、釘やビス等の固着具２４が厚み方向に貫通している。固着具２４は、下葺材２５を介して野地２１に打入されており、これにより、既設屋根板２０は野地２１に固定されている。
【００１９】
（シート部材３）
シート部材３は所望の機能を有するシート状の部材である。本実施形態ではシート部材３は防水シートで形成されている。防水シートであるシート部材３は下葺材２５と同様のものであり、例えば、アスファルトルーフィングである。
【００２０】
（建築板１）
建築板１は、平面視略矩形板状のスレート瓦であって、セメント系成形材料を成形し、養生硬化することで製造される。建築板１は既設屋根を覆うカバー材として使用される。なお、建築板１は既設屋根板２０と軒棟方向の寸法が異なるものを使用できる。
【００２１】
（防水部材５）
防水部材５は捨て板又はジョイント材と称されるものであって、軒方向に隣接する建築板（新設屋根材）１の突付け箇所６から浸入した雨水を受ける。すなわち、軒棟方向に隣接する建築板１を重ねることにより、屋根の防水性は確保されているが、建築板１の形状によっては、軒方向で隣接する建築板１の突付け箇所６から浸入する水に対して、この突付け箇所６の裏側に防水部材５を配置する。
【００２２】
防水部材５は、例えば、金属製であり、板金を曲げ加工することで一体に形成される。板金としては、ステンレス鋼板、ガルバリウム鋼板（登録商標）などが使用される。また防水部材５は、樹脂製又はアルミニウム製であってもよい。
【００２３】
図３Ａ、図３Ｂ及び図３Ｃに示すように、防水部材５は、板状部５１と、マーク部５２と、位置決め部５３と、固定部５４と、堰部５５とを有している。
【００２４】
板状部５１は、軒棟方向に長く、例えば重ねられる建築板１の曝露寸法よりも長い矩形板状に形成されている。板状部５１は、シート部材３を介して既設屋根板２０の表側に配置される。板状部５１における軒方向の両端（幅方向に沿った両端）には、板状部５１の表面側に向かって突出した一対の堰部５５が、それぞれ形成されている。
【００２５】
各堰部５５は、板状部５１の軒棟方向の全長に亘って形成されている。各堰部５５は、板状部５１の軒方向の端から表面側に向かって突出した縦片５５１と、縦片５５１の先端から、軒方向における板状部５１とは反対側に向かって突出した横片５５２とを有している。一対の堰部５５の横片５５２には、軒方向に隣接する建築板（新設屋根材）１の隣接箇所４（建築板１の軒方向端部、図１参照）がそれぞれ載せられる。このため、例えば、建築板１が踏まれる等して、建築板１に下向きの力が加わったとき、この建築板１を防水部材５で支持することができ、これにより、建築板１の変形が抑制される。
【００２６】
固定部５４は一対に形成され、各堰部５５に一つずつ設けられている。各固定部５４は、各堰部５５の横片５５２から軒方向（左右方向）における板状部５１と反対側（外側）に張り出している。固定部５４は軒棟方向の寸法が板状部５１よりも短く形成されている。また固定部５４は板状部５１の軒棟方向の中央部よりも軒側に寄って位置している。また固定部５４には厚み方向に貫通する固定孔５４１が設けられている。
【００２７】
位置決め部５３は、板状部５１の軒側端に、板状部５１の表面側に向かって突出して形成されている。位置決め部５３は、板状部５１の軒方向の全長に亘って形成されている。位置決め部５３は、板状部５１の軒側端から表面側に向かって突出した立ち上げ片５３１と、立ち上げ片５３１の先端から、棟側（板状部５１側）に向かって突出した押さえ片５３２とを有している。位置決め部５３は、板状部５１と立ち上げ片５３１と押さえ片５３２との間に差し込み空間５３３を形成するものであり、この差し込み空間５３３に建築板１の軒側端部を差し込み、立ち上げ片５３１に当接させることにより、軒棟方向において建築板１の下端１１１が位置決めされる。
【００２８】
一対の堰部５５及び位置決め部５３は、雨水が軒方向で隣接する建築板１の突付け箇所６から板状部５１の表面に落下して板状部５１の表面を流れたときに、この雨水を堰き止めて広がりを抑えつつ、この雨水を板状部５１の軒側に排出されるようにガイドする機能も有する。なお、立ち上げ片５３１、立ち上げ片５３１と板状部５１とのなす角部に水抜き孔を形成していてもよい。
【００２９】
本実施形態におけるマーク部５２は建築板１の上端１３１の位置を示すものである（図４参照）。マーク部５２は固定部５４に設けられている。これにより、固定部５４の一部をマーク部５２と兼用して利用することができ、防水部材５の構造の簡素化と多機能化を図ることができる。また固定部５４は板状部５１から軒方向に板状部５１と反対側に突出しているため、マーク部５２も板状部５１の堰部５５から軒方向（左右方向）に板状部５１と反対側（外側）に突出して位置することができ、板状部５１の表側から視認しやすくなる。本実施形態においてマーク部５２は固定部５４の軒側端縁である。またマーク部５２が固定部５４の軒側端縁の場合、マーク部５２は板状部５１の軒方向（左右方向）における両側（二箇所）に形成されるものであり、片側（一箇所）の場合に比べて視認しやすく、また建築板１の上端１３１の位置を示しやすい。
【００３０】
なお、マーク部５２は固定部５４に設けるだけでなく、視認可能な位置であれば、板状部５１や堰部５５や位置決め部５３に設けてもよく、また複数箇所に設けてもよい。またマーク部５２は固定部５４の端縁で形成されるだけでなく、文字や記号などで表示してもよく、さらに罫書き線などで形成してもよい。
【００３１】
（建築板１の施工方法）
本実施形態において、構造物下地（既設屋根）２に建築板（新設屋根材）１を施工し、図１に示す新設屋根を形成するにあたっては、次のようにして行う。
【００３２】
まず、構造物下地２の表側にシート部材３を配置する。シート部材３は構造物下地２の表面全体を覆うように敷き込まれる。したがって、構造物下地２に配置されている複数の既設屋根材２０の全体をシート部材３で覆うことができ、これにより、シート部材３が防水シートの場合は、新設屋根の防水性能が得られる。
【００３３】
次に、複数の建築板１を順次葺いて施工していく。建築板１は軒側から棟側に向かって施工されていく。すなわち、複数の建築板１を軒方向で一列に施工した後、その一列に施工した複数の建築板１の棟側に、別の複数の建築板１を軒方向で一列に施工していく。このようにして複数の建築板１を軒側から棟側に向かって順次施工していく。複数の建築板１は、例えば千鳥配置で施工できるが、これに限定されない。
【００３４】
ここで、軒方向で隣接する建築板１は、軒棟方向に延びる側端部同士が突付けられて配置される。また軒棟方向で隣接する建築板１は上下方向で端部同士が重なり合って階段状に配置される。すなわち、軒側の建築板１の棟側端部の表面側に、棟側の建築板１の軒側端部が重ねられて配置される。このような場合、複数（三つ）の建築板１の隣接箇所４では、軒方向で隣接する建築板１の突付け箇所６における防水性の向上が望まれる。また軒棟方向で隣接する建築板１は、軒側の建築板１と棟側の建築板１との位置を簡単に正確に配置することが望まれる。そこで、本実施形態では、防水部材５で、軒方向で隣接する建築板１の突付け箇所６における防水性を向上させ、かつ軒側の建築板１と棟側の建築板１との位置を簡単に正確に配置することをおこなっている。
【００３５】
すなわち、図５Ａに示すように、まず、複数の建築板１を軒方向で一列に施工した後、その一列に施工した複数の建築板１の棟側に防水部材５を配置する。このとき、一列に施工した複数の建築板１のうちの一つの建築板１３の上端１３１の位置を目安にして、防水部材５を配置する。すなわち、建築板１３の上端１３１の位置とマーク部５２の位置とを基準にして建築板１３と防水部材５とを位置合わせする。ここで、マーク部５２を上端１３１に当てて建築板１３と防水部材５とを位置合わせすることができる。またマーク部５２を上端１３１に当てないで建築板１３と防水部材５とを位置合わせすることができる。マーク部５２を上端１３１に当てない場合は、マーク部５２を上端１３１に近づけて配置する。また防水部材５のマーク部５２よりも軒側部分（位置決め部５３側の部分）は、建築板１３の棟側端部の表面側に配置される。この後、固定部５４の固定孔５４１から釘やビスなどの固定具５４２を構造物下地２に打ち込んだりねじ込んだりすることにより、防水部材５を固定することができる。なお、固定部５４は、軒側に新設した建築板１の棟側端（上端１３１）と、シート部材３で覆われた既設屋根の棟側の既設屋根板２０の軒側端３９との間の空間３８に納まるように固定してもよい。
【００３６】
次に、図５Ｂに示すように、固定した防水部材５に上記とは別の建築板１１を棟側から近づけて、図５Ｃに示すように、固定した防水部材５の差し込み空間５３３の軒方向半分に建築板１１の軒側端部１１５を差し込み、図２に示すように、建築板１１の下端（軒側端面）１１１を位置決め部５３に当てる（当接させる）ことで、位置決め部５３で建築板１１の軒棟方向の位置決めをする。建築板１１の下端１１１は位置決め部５３の立ち上げ片５３１と当てる（当接させる）ことで、容易に位置決めすることができる。なお、建築板１１の下端１１１は立ち上げ片５３１と必ず当てる必要はなく、隙間を設けてもよい。この場合、下端１１１と立ち上げ片５３１との間に入り込む雨水を隙間から排出しやすくなるものである。
【００３７】
次に、図４及び図６Ａに示すように配置した建築板１１の軒方向の隣において、建築板１１を位置決めした防水部材５にさらに別の建築板１２を棟側から近づけ、固定した防水部材５の差し込み空間５３３の残りの軒方向半分に建築板１２の軒側端部１２５を差し込み、建築板１１の場合と同様に、図６Ｂに示すように、建築板１２の下端１２１を位置決め部５３に当てることで建築板１２の軒棟方向の位置決めをする。このように施工することで、軒方向に突き付けられて位置する建築板１同士の軒側端面の位置を容易にそろえることができる。なお、建築板１２の下端１２１も立ち上げ片５３１と必ず当てる必要はなく、隙間を設けてもよい。
【００３８】
このようにして複数の建築板１と複数の防水部材５を施工することにより、図１に示すような新設屋根が形成される。そして、新設屋根において、棟側の建築板１１及び建築板１２と軒側の建築板１３との隣接箇所４においては、建築板１１の軒棟方向に延びる側端部１１９と建築板１２の軒棟方向に延びる側端部１２９と突き付けられており、これにより、側端部１１９と側端部１２９とで突付け箇所６が形成される。また建築板１１及び建築板１２と建築板１３とは軒棟方向で隣接して配置されており、棟側の建築板１１の軒側端部１１５が軒側の建築板１３の棟側端部１３６の表面に重ねて配置され、棟側の建築板１２の軒側端部１２５が軒側の建築板１３の棟側端部１３６の表面に重ねて配置される。
【００３９】
そして、上記隣接箇所４において、軒方向で隣接する建築板１１と建築板１２との突付け箇所６の裏側には、突付け箇所６とシート部材３との間に防水部材５の板状部５１が配置される。したがって、突付け箇所６に生じる建築板１１の側端部１１９と建築板１２の側端部１２９との隙間に雨水が浸入しても板状部５１で受けて軒側へと流すことができる。
【００４０】
また、棟側の建築板１１及び建築板１２と軒側の建築板１３との隣接箇所４において、建築板１１及び建築板１２と建築板１３との位置関係は防水部材５により決めやすい。すなわち、建築板１３と防水部材５とはマーク部５２により、それらの互いの位置関係が容易に決まり、かつ、建築板１３と位置決めされた防水部材５に建築板１１と建築板１２とを位置決め部５３により位置決めするため、建築板１１及び建築板１２と建築板１３の位置関係が決めやすくなる。
【００４１】
（変形例）
以上説明した本実施形態は、適宜設計変更可能である。例えば、構造物下地、建築板、防水部材の各々の材質や形状は、適宜変更可能である。例えば、防水部材の形状は、水を受けて軒側の屋根材に排水する形であれば、形は問わず、長方形、正方形、羽付き形等の形状であってもよい。
【００４２】
上記では、既設屋根の改修構造について説明したが、これに限られず、本実施形態は新規屋根を施工する場合にも適用できる。この場合、構造物下地は、例えば、既設屋根材が無い状態の野地板を備えている。
【００４３】
また上記では、屋根構造について説明したが、これに限られず、本実施形態は壁構造を施工する場合にも適用できる。この場合、構造物下地は壁下地であり、建築板は外壁材や内壁材などの壁材である。さらには、建築板は、フェンスなどの外構に設置されるものであってもよい。
【００４４】
また上記では、堰部は折り曲げ加工により板状部と一体に形成しているが、これに限られず、堰部は板状部とは別体で、水を止める効果のある部材を板状部に接着して設けてもよい。例えば、エプトシーラーやシーリング等などの樹脂製部材で堰部を形成してもよい。
【００４５】
また上記では、シート部材として防水シートについて説明したが、これに限定されず、例えば耐火シート等の機能性シートであってもよい。耐火シートを使用した場合は、火災による熱でシート部材が主に厚み方向で膨張して断熱層を形成するものであり、これにより、新規屋根の耐火性が向上する。
【００４６】
（まとめ）
以上説明したように、第１の態様に係る建築板の施工構造は、構造物下地（２）の表側に配置されるシート部材（３）と、シート部材（３）の表側に、左右方向に互いに突付けて配置されると共に、上下方向で端部同士が重なり合って階段状に配置される複数の建築板（１）と、複数の建築板（１）の突付け箇所（６）の裏側に配置される防水部材（５）と、を備える。防水部材（５）は、突付け箇所（６）においてシート部材（３）と建築板（１１，１２）との間に配置された板状部（５１）と、板状部（５１）に設けられて下側の建築板（１３）の上端（１３１）の位置を示すマーク部（５２）と、板状部（５１）の表側に位置する建築板（１１，１２）の下端（１１１、１２１）を位置決めする位置決め部（５３）と、を有する。
【００４７】
この態様によれば、防水部材（５）がマーク部（５２）により建築板（１３）の上端（１３１）を目安にして配置され、その防水部材（５）の位置決め部（５３）により建築板（１１）及び建築板（１２）の下端（１１１、１２１）が位置決めされるため、防水部材（５）により、左右方向に隣接する建築板（１１）、建築板（１２）及び上下方向に隣接する建築板（１３）の位置関係が決めやすい。
【００４８】
第２の態様に係る建築板の施工構造は、第１の態様において、防水部材（５）は、構造物下地（２）に固定される固定部（５４）をさらに有する。マーク部（５２）は、固定部（５４）に設けられている。
【００４９】
この態様によれば、固定部（５４）の一部をマーク部（５２）と兼用することができ、防水部材（５）の構造の簡素化と多機能化を図ることができる。
【００５０】
第３の態様に係る建築板の施工構造は、第１又は２の態様において、マーク部（５２）は板状部（５１）の左右方向における両側に設けられている。
【００５１】
この態様によれば、建築板（１３）の上端（１３１）を目安にして、両方のマーク部（５２）で防水部材（５）を位置合わせすることができ、防水部材（５）の配置位置が決めやすい。
【００５２】
第４の態様に係る建築板の施工構造は、第１ないし３の態様において、板状部（５１）の表面の少なくとも左右方向両端部に堰部（５５）が設けられ、マーク部（５２）は堰部（５５）よりも左右方向における外側に設けられている。
【００５３】
この態様によれば、マーク部（５２）は堰部（５５）の外側で視認できるため、建築板（１３）の上端（１３１）を目安にして、防水部材（５）を位置合わせしやすい。
【００５４】
第５の態様に係る屋根の改修構造は、第１ないし４の態様において、構造物下地（２）が既設屋根であり、建築板（１）が新設屋根材である。
【００５５】
この態様によれば、既設屋根を改修するにあたって、防水部材（５）がマーク部（５２）により新設屋根材である建築板（１３）の上端（１３１）を目安にして配置され、その防水部材（５）の位置決め部（５３）により新設屋根材である建築板（１１）及び建築板（１２）の下端（１１１、１２１）が位置決めされるため、防水部材（５）により、左右に隣接する建築板（１１）と建築板（１２）及び上下に隣接する建築板（１３）の位置関係が決めやすい。
【００５６】
第６の態様に係る防水部材（５）は、構造物下地（２）の表側に配置されるシート部材（３）の表側に、左右方向に互いに突付けて配置されると共に、上下方向で端部同士が重なり合って階段状に配置される複数の建築板（１）の突付け箇所（６）の裏側に配置される防水部材（５）である。突付け箇所（６）においてシート部材（３）と建築板（１１、１２）との間に配置される板状部（５１）と、板状部（５１）に設けられて下側の建築板（１３）の上端（１３１）の位置を示すマーク部（５２）と、板状部（５１）の表側に位置する建築板（１１、１２）の下端（１１１、１２１）を位置決めする位置決め部（５３）と、を有する。
【００５７】
この態様によれば、防水部材（５）がマーク部（５２）により建築板（１３）の上端（１３１）を目安にして配置され、その防水部材（５）の位置決め部（５３）により建築板（１１）及び建築板（１２）の下端（１１１、１２１）が位置決めされるため、防水部材（５）により、左右方向に隣接する建築板（１１）と建築板（１２）及び上下方向に隣接する建築板（１３）の位置関係が決めやすい。
【符号の説明】
【００５８】
１  建築板
１１  建築板
１１１  下端
１２  建築板
１２１  下端
１３  建築板
１３１  上端
２  構造物下地
３  シート部材
４  隣接箇所
５  防水部材
５１  板状部
５２  マーク部
５３  位置決め部
５４  固定部
５５  堰部
６  突付け箇所
【図１】
2020084420.tif 000003
【図２】
2020084420.tif 000004
【図３】
2020084420.tif 000005
【図４】
2020084420.tif 000006
【図５】
2020084420.tif 000007
【図６】
2020084420.tif 000008